(57)【要約】【課題】本体のスピーカー穴をふさぐことなく本体を把持することができ、スピーカーの音を遮蔽することを防止する構造を提供する。【解決手段】本体部と、本体部に対して回動可能なグリップ部を備える撮像装置において、前記回動可能なグリップ部の本体部の外装カバーと対向する面のカバーにスピーカー穴を備え、前記カバーと前記本体部外装カバーとの間にクリアランスを設ける。【選択図】図４
2015138064.tif 000002
【特許請求の範囲】
【請求項１】
本体部と、本体部に対して回動可能なグリップ部を備える撮像装置において、
前記回動可能なグリップ部の本体部の外装カバーと対向する面のカバーにスピーカー穴を備え、前記カバーと前記本体部外装カバーとの間にクリアランスを設けることを特徴とする撮像装置。
【請求項２】
前記グリップ部を回動しても、前記クリアランスが詰まらないことを特徴とする請求項１に記載の撮像装置。
【請求項３】
前記グリップ部の先端が徐々に前記本体部外装カバーより遠ざかっていることを特徴とする請求項１又は請求項２に記載の撮像装置。
【発明の詳細な説明】
【技術分野】
【０００１】
本発明は、スピーカーを内蔵する撮像機器に関するものである。
【背景技術】
【０００２】
近年、ビデオカメラなどの撮像機器は記録媒体がテープや光ディスクからメモリーカードへと変更になってきている。メモリーカードを記録媒体に使用する撮像機器は従来のカセットテープなどを記録媒体に使用してる機種に比べ、本体の筺体を大幅に小さくすることができた。
【０００３】
また本体に対して回動する表示部を持つ小型の撮像機器において、表示部を閉じた状態でも音が聞こえるようにスピーカー穴を撮像機器を把持するカバー部に配置する場合があった（非特許文献１参照）。
【先行技術文献】
【非特許文献】
【０００４】
【非特許文献１】「キヤノン株式会社  HDビデオカメラ XA20XA25使用説明書」、キヤノン株式会社、２０１３年、ｐ．１３
【発明の概要】
【発明が解決しようとする課題】
【０００５】
しかしながら、撮像機器を手で把持したときに、撮像機器本体自身の大きさが小さいことから本体に内蔵するスピーカーの音を出すためのスピーカー穴部を塞いでしまい、音を遮蔽してしまう問題があった。またスピーカー部に指をかけないように指を少し浮かせたりして把持して撮影することもできるが、このような誤った把持方法では撮像機器を安定させることができず、そのまま撮影すると手ぶれや長時間撮影時の疲労につながっていた。
【課題を解決するための手段】
【０００６】
上記目的を達成するため、請求項１の撮像装置は、
本体部と、本体部に対して回動可能なグリップ部を備える撮像装置において、
前記回動可能なグリップ部の本体部の外装カバーと対向する面のカバーにスピーカー穴を備え、前記カバーと前記本体部外装カバーとの間にクリアランスを設けることを特徴としている。
【０００７】
請求項２の撮像装置は、請求項１に記載の撮像装置において、前記グリップ部を回動しても、前記クリアランスが詰まらないことを特徴としている。
【０００８】
請求項３の撮像装置は、請求項１又は請求項２に記載の撮像装置において、前記グリップ部の先端が徐々に前記本体部外装カバーより遠ざかっていることを特徴としている。
【発明の効果】
【０００９】
本発明の構成によれば、撮像機器のスピーカー穴をふさぐことなく把持することができ、グリップ部をどの位置に回動してもスピーカーの音を遮蔽することなく安定して把持することができる。
【図面の簡単な説明】
【００１０】
【図１】撮像装置の構成を示すブロック図
【図２】撮像装置の後方左側斜視図
【図３】撮像装置の後方右側斜視図
【図４】撮像装置の上面図
【図５】撮像装置のグリップ部をローアングル撮影位置に回転させた図
【図６】図４におけるＡ−Ａ断面図
【図７】撮像装置のグリップ部をローアングル撮影位置にしたときの前面図
【発明を実施するための形態】
【００１１】
以下、本発明の第１の実施形態について図面を参照しながら説明する。
【００１２】
図１は撮像装置の構成を示すブロック図である。撮像装置本体100は、図１に示すように、フォーカス及びズーム等の光学制御系を含む光学レンズ群及び絞りからなるレンズユニット部101、CCDなどの撮像素子を含む撮像部102、カメラ信号処理部103、圧縮伸張処理部104、表示部105、記録再生処理部106、カード制御部107、グリップ回転検出部108、マイクロフォン109、音声信号処理部110、メモリ111、メモリ制御部112、CPU113、操作部114、デジタルI/F115、入出力部116、GPS受信部124、GPS信号処理部125、電源制御部117を備えている。また各機能ブロックはそれぞれデータバス118を介して互いにデータ通信可能に接続されている。
【００１３】
このような撮像装置本体100において、メモリ111は、プログラム記憶領域とデータ作業領域を有し、データバス118を介して各機能ブロックでタイム・シェアリングして使用され、メモリ制御部112により制御及び管理されている。
【００１４】
CPU113は所定のプログラムを実行すること等により、撮像装置本体100全体を統括制御する中央演算処理回路である。
【００１５】
操作部114はユーザーからのキー操作などに基づいて、CPU113に対して動作指示する機能を有する。そのうち後述の114aはレンズの画角をワイド側又はテレ側に変化させるズーム操作を行うためのズームツマミ、114bは動画撮影ボタンであり押圧動作することで動画撮影のスタート/ストップを行うことが可能である。後述のようにズームツマミ114aと動画撮影ボタン114bは、撮像装置本体100に対して回動可能な回転グリップ部130に配置されている。
【００１６】
デジタルI/F115は、例えばHDMI（登録商標）(High-Definition Multimedia Interface)やUSB(Universal Serial Bus)等の規格に従い信号を授受する。
【００１７】
メモリーカード119は、SDカードやコンパクトフラッシュ（登録商標）等の脱着式のフラッシュメモリーであり、撮影データ及び音声データが記録される。
【００１８】
電源制御部117は、バッテリ検出回路、DC-DCコンバータ、通電するブロックを切り替えるスイッチ回路等により構成されており、電池の装着の有無、電池の種類、電池残量の検出を行う。バッテリ123は、リチウムイオン電池等であり、撮像装置本体100に電源を供給する。
【００１９】
次に、本発明の第１の実施形態における撮像装置の撮影動作及び記録動作、再生動作について説明する。
【００２０】
例えば、操作部114により撮影動作及び記録動作が指示された場合、被写体からの光は、レンズ101により所定の明るさ、画角、及びフォーカス等が制御された光学信号となって撮像部102に対して入力される。撮像部102は入力光学信号を電気信号に変換し、カメラ信号処理部103に出力する。カメラ信号処理部103はこの電気信号をデジタル画像信号に変換する。そして、この画像信号に対して、色分離、階調補正、及びホワイトバランス調整などの信号処理を施した後出力する。音声信号処理部110は、マイクロフォン109より入力された音声信号を所定レベルにゲインコントロールしてデジタル化することで、音声データとして出力する。
【００２１】
圧縮伸張処理部104は、カメラ信号処理部103から出力された画像データ及び音声信号処理部110から出力された音声データを所定の圧縮符号化方式により圧縮符号化する。表示部105は、後述する図２及び図3に示す液晶表示部105aとハンドル部126の後部に配置されるEVF105bにより構成され、圧縮伸張処理部104で圧縮符号化対象の撮影データが画像信号化され画像として表示する。また、表示部105は、必要に応じて撮像装置本体100の動作状況をオンスクリーン・ディスプレイ情報として表示する。
【００２２】
記録再生処理部106は、圧縮伸張処理部104で得られた圧縮符号化後のデータに対して、エラー訂正符号化処理や変調処理等を施し、カード制御部107により記録媒体であるメモリーカード119に記録する。
【００２３】
一方、操作部114により再生動作が指示された場合、記録再生処理部106は、メモリーカード119から読み出したデータから元のデジタルデータを検出し、エラー訂正及び復調等の処理を施す。また、PLL（Phase Locked Loop）回路によりこの再生データに同期したクロックを生成する。
【００２４】
圧縮伸張処理部104は、記録再生処理部106より出力されたデータに対して、所定の圧縮符号化方式に対応した伸張処理を施し、圧縮符号化前の撮影データ及び音声データを取得する。表示部105は、圧縮伸張処理部104で得られた再生データを表示する。
【００２５】
また操作部114によりデジタルI/F115からの入力データを記録する指示があった場合、CPU113はデジタルI/F115により、外部装置121からの画像データあるいは音声データをデジタル信号の状態で入力し、記録再生処理部106に送る。この際、外部装置121からの画像データ、音声データは既に符号化されているものとし、記録再生処理部106は前述のようにこの入力データに対して記録に必要な処理を施して記録媒体であるメモリーカード119に記録する。
【００２６】
また操作部114により、入出力部116からの入力信号を記録する指示があった場合、CPU113は入出力部116を制御し、外部装置122から出力された画像、音声信号を入力する。入出力部116は外部装置122から出力された画像、音声信号をデジタルデータに変換してメモリ111に出力する。CPU113はこのメモリ111に記憶された画像、音声データを圧縮伸張処理部104に出力して圧縮符号化し、記録再生処理部106に送る。記録再生処理部106は前述の様にこの符号化されたデータに対して記録に必要な処理を施して記録媒体であるメモリーカード119記録する。
【００２７】
次に発明の第１の実施例における撮像装置の外観構成及び動作状態について説明する。
【００２８】
図２、３、４は撮像装置の後方左側斜視図、後方右側斜視図、上面図であり、図５はグリップ部130をローアングル撮影位置に回転させた図である。この時、動画撮影ボタン114bは撮像装置本体100に対して上面側に移動することで、撮影者がローアングル撮影状態の姿勢になった際に押圧しやすくなる。
【００２９】
図４におけるＡ−Ａ断面図を図６に示す。スピーカー穴131は回転ヒンジ機構部132に対して、前方に配置されており、グリップ部130は回転ヒンジ機構部132により本体部に対して回転可能に取り付けられている。
【００３０】
図４に示されるようにスピーカー穴131と撮像機器本体１００のカバーとの距離L1が十分確保され配置されており、またグリップ部130は回転ヒンジ機構部132から遠ざかるに従って、撮像機器本体１００との隙間が大きくなっている。そのためスピーカー穴131から出力される音は遮蔽されることがない。
【００３１】
図７は図５のローアングル撮影時の撮像機器本体１００をレンズ前方から見た図である。図７に示されるようにグリップ部130をローアングル撮影時位置にしたときでもスピーカー穴131と撮像機器本体１００のカバーとの距離L1が十分確保されている。そのためスピーカー穴131から出力される音は遮蔽されることがない。
【００３２】
またグリップ部130は撮影者が把持しやすいように大きめに作られており、グリップ部130の内部には大きな空間がある。その空間を利用して、スピーカーの後方に複雑な形状をしたホーンを配置しており、グリップ部130全体においてバックロードホーン型スピーカーとなっている。バックロードホーン型スピーカーは、スピーカーの形式であり、スピーカーユニット後方から発生する低音をホーンによって増幅する方式である。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３４】
１００‥‥撮像装置本体
１００ａ‥‥撮像装置本体上部
１０１‥‥レンズユニット部
１０２‥‥撮像部
１０３‥‥カメラ信号処理部
１０４‥‥圧縮伸張処理部
１０５‥‥表示部
１０６‥‥記録再生処理部
１０７‥‥カード制御部
１０８‥‥グリップ回転検出部
１０９‥‥マイクロフォン
１１０‥‥音声信号処理部
１１１‥‥メモリ
１１２‥‥メモリ制御部
１１３‥‥CPU
１１４‥‥操作部
１１４a‥‥ズームツマミ
１１４b‥‥動画撮影ボタン
１１５‥‥デジタルI/F
１１６‥‥入出力部
１１７‥‥電源制御部
１１８‥‥BUS部
１１９‥‥メモリーカード
１２１‥‥外部装置
１２２‥‥外部装置
１２３‥‥バッテリ
１２６‥‥ハンドル部
１３０‥‥グリップ部
１３１‥‥スピーカー穴
１３２‥‥回転ヒンジ機構部
【図１】
2015138064.tif 000003
【図２】
2015138064.tif 000004
【図３】
2015138064.tif 000005
【図４】
2015138064.tif 000006
【図５】
2015138064.tif 000007
【図６】
2015138064.tif 000008
【図７】
2015138064.tif 000009